(57)【要約】蓋体部のカバーを開閉する際の操作性に優れたキャリーバッグを提供する。【課題】【解決手段】箱状の本体部１と、本体部１の正面側に開閉自在に設けられた箱状の蓋体部２と、蓋体部２の正面に設けられたファスナー４を介して蓋体部２を部分的に開閉するカバー３とを備える。蓋体部２を正面から見て、カバー３は、幅方向に沿って延びる上辺部３ａと、幅方向の一端側から他端側に向かって斜め下に延びる下辺部３ｂと、下辺部３ｂの他端側から上方に延びて上辺部３ａに連なる側辺部３ｃとを有する略三角形状をなす。カバー３の開閉動作のためのヒンジ部３１が下辺部３ｂに設けられ、ファスナー４のファスナーラインが、下辺部３ｂの一端側から上辺部３ａと側辺部３ｃを経て下辺部３ｂの他端側に至るように設けられている。【選択図】図１
0003192537.tif 000002
【実用新案登録請求の範囲】
【請求項１】
底面にキャスターが設けられ上面に取っ手が設けられた箱状の本体部と、前記本体部の正面側に開閉自在に設けられた箱状の蓋体部と、前記蓋体部の正面に設けられたファスナーを介して前記蓋体部を部分的に開閉するカバーとを備え、
前記蓋体部を正面から見て、前記カバーが、幅方向に沿って延びる上辺部と、幅方向の一端側から他端側に向かって斜め下に延びる下辺部と、前記下辺部の他端側から上方に延びて前記上辺部に連なる側辺部とを有する略三角形状をなし、
前記カバーの開閉動作のためのヒンジ部が前記下辺部に設けられ、前記ファスナーのファスナーラインが、前記下辺部の一端側から前記上辺部と前記側辺部を経て前記下辺部の他端側に至るように設けられているキャリーバッグ。
【請求項２】
前記上辺部と前記下辺部の一端側とが第１の円弧を介して連なり、前記上辺部と前記側辺部とが第２の円弧を介して連なり、前記側辺部と前記下辺部の他端側とが第３の円弧を介して連なり、前記ファスナーのファスナーラインが前記第１〜第３の円弧を通る請求項１に記載のキャリーバッグ。
【請求項３】
前記蓋体部を正面から見て、前記下辺部が右下がりに形成されている請求項１または２に記載のキャリーバッグ。
【請求項４】
前記カバーが、前記蓋体部の正面の上半分の領域に設けられている請求項１〜３のいずれか１項に記載のキャリーバッグ。
【請求項５】
前記カバーの開きを制限するマチ状のストッパーが前記側辺部にのみ設けられている請求項１〜４のいずれか１項に記載のキャリーバッグ。
【考案の詳細な説明】
【技術分野】
【０００１】
本考案は、旅行用の大型鞄などに用いられるキャリーバッグに関する。
【背景技術】
【０００２】
旅行用の大型鞄として用いられるキャリーバッグは、一般に、箱状の本体部の正面側に蓋体部が開閉自在に設けられ、全体として縦長の略直方体形状に形成されている。また、蓋体部を部分的に開閉するカバーを設けることにより、本体部と蓋体部とを閉じたままの状態でも収納物を出し入れできるようにしたキャリーバッグが公知である（例えば、特許文献１〜３を参照）。かかるカバーは、蓋体部に対してファスナーで接合され、その蓋体部の正面の一部または全部を構成する。
【０００３】
ところで、従来のキャリーバッグでは、図７のようにカバー９１が略長方形状に形成され、その下辺部に設けられたヒンジ部９２により縦開きに構成されている。カバー９１を開閉するためのファスナー９３は、いわゆる三方開き構造であり、そのファスナーラインはカバー９１の左辺部、上辺部及び右辺部を通る逆Ｕ字状に形成されている。それ故、カバー９１を開閉する際には、その三辺に沿ってファスナー９３のスライダー９４を動かさなければならず、片手での開閉が煩雑であるなど、開閉時の操作性を更に改善する余地があった。
【先行技術文献】
【特許文献】
【０００４】
【特許文献１】実用新案登録第３１６３１３７号公報
【特許文献２】実用新案登録第３１８１４７０号公報
【特許文献３】実用新案登録第３１８３７２７号公報
【考案の概要】
【考案が解決しようとする課題】
【０００５】
本考案は上記実情に鑑みてなされたものであり、その目的は、蓋体部のカバーを開閉する際の操作性に優れたキャリーバッグを提供することにある。
【課題を解決するための手段】
【０００６】
上記目的を達成するために、本考案に係るキャリーバッグは、底面にキャスターが設けられ上面に取っ手が設けられた箱状の本体部と、前記本体部の正面側に開閉自在に設けられた箱状の蓋体部と、前記蓋体部の正面に設けられたファスナーを介して前記蓋体部を部分的に開閉するカバーとを備え、前記蓋体部を正面から見て、前記カバーが、幅方向に沿って延びる上辺部と、幅方向の一端側から他端側に向かって斜め下に延びる下辺部と、前記下辺部の他端側から上方に延びて前記上辺部に連なる側辺部とを有する略三角形状をなし、前記カバーの開閉動作のためのヒンジ部が前記下辺部に設けられ、前記ファスナーのファスナーラインが、前記下辺部の一端側から前記上辺部と前記側辺部を経て前記下辺部の他端側に至るように設けられているものである。
【０００７】
本考案に係るキャリーバッグでは、蓋体部のカバーが上記の如き略三角形状であることから、図７に例示したような従来のキャリーバッグに比べてファスナーラインを短くでき、特にカバーの下辺部の一端側から上辺部にかけてファスナーのスライダーの移動を少なくできる。ヒンジ部は、斜めに延びた下辺部に設けられており、ファスナーラインを短くしながらもカバーの開閉動作を実現できる。かかる構成によれば、片手での開閉も比較的容易であり、カバーを開閉する際の操作性に優れたものとなる。
【０００８】
特に断りを入れない限り、本明細書における「底面」や「上面」、「上方」、「斜め下」、「右下がり」、「上半分」などの用語は、図１，２のようにキャリーバッグを直立させた状態に基づいて定められる。「幅方向」や「高さ方向」、「厚み方向」は、それぞれ直立させたキャリーバッグの蓋体部を正面から見たとき（図２参照）の左右方向、上下方向、前後方向に相当する。また、ファスナーラインは、ファスナーを閉じたときに噛み合うエレメント（務歯）が延在するラインを指す。
【０００９】
本考案の好適な適用例として、前記上辺部と前記下辺部の一端側とが第１の円弧を介して連なり、前記上辺部と前記側辺部とが第２の円弧を介して連なり、前記側辺部と前記下辺部の他端側とが第３の円弧を介して連なり、前記ファスナーのファスナーラインが前記第１〜第３の円弧を通るものが挙げられる。かかる構成によれば、ファスナーのスライダーを円滑に移動させることができ、カバーの開閉時の操作性が更に良好になる。
【００１０】
本考案の好適な適用例として、前記蓋体部を正面から見て、前記下辺部が右下がりに形成されているものが挙げられる。かかる構成によれば、カバーの側辺部が右側に配置され、左側よりも右側が大きい略三角形状の開口が形成される。そのため、ファスナーのスライダーを右手で動かしやすくなるとともに、右手で収納物を出し入れするうえで都合が良い。
【００１１】
本考案の好適な適用例として、前記カバーが、前記蓋体部の正面の上半分の領域に設けられているものが挙げられる。かかる構成によれば、キャリーバッグを直立させた状態においてカバーの開閉時の操作性が良好になる。
【００１２】
本考案の好適な適用例として、前記カバーの開きを制限するマチ状のストッパーが前記側辺部にのみ設けられているものが挙げられる。かかる構成によれば、カバーを開いたときの姿勢を適切に保持して、収納物が不用意に飛び出る事態を防ぐことができる。
【図面の簡単な説明】
【００１３】
【図１】本考案に係るキャリーバッグの一例を示す斜視図
【図２】そのキャリーバッグの正面図
【図３】カバーを開いた状態を示す斜視図
【図４】カバーの形状を概念的に示す図
【図５】別実施形態に係るカバーの形状を概念的に示す図
【図６】本体部と蓋体部とを開いた状態を示す斜視図
【図７】従来技術に係るキャリーバッグの一例を示す斜視図
【考案を実施するための形態】
【００１４】
以下、本考案に係るキャリーバッグの実施形態について、図面を参照しながら説明する。
【００１５】
図１，２に示したキャリーバッグは、箱状の本体部１と、その本体部１の正面側に開閉自在に設けられた箱状の蓋体部２と、その蓋体部２の正面の一部を構成するカバー３とを備える。本体部１及び蓋体部２は、例えば硬質プラスチック製のハードケースにより形成される。このキャリーバッグは、本体部１に対して蓋体部２を閉じた状態にて、全体として縦長の略直方体形状を呈する。後述するように、本体部１や蓋体部２の内部には、種々の収納物を収納するための空間が形成されている。
【００１６】
本体部１の底面にはキャスター１１が設けられ、蓋体部２の底面にも同様にキャスター２１が設けられている。本実施形態では、合計で４つのキャスターがキャリーバッグの底面に設けられている。本体部１だけでなく蓋体部２にもキャスター２１を設けているため、キャリーバッグを安定して運搬することができ、本体部１に対して蓋体部２を開いた状態でもキャリーバッグの直立が保持される。本体部１の上面には取っ手が設けられており、その取っ手を持ってキャリーバッグを引いて移動させることができる。
【００１７】
本実施形態では、本体部１の上面に設けられた取っ手が、固定式取っ手１２と伸縮式取っ手１３とを有する。固定式取っ手１２は細長い平板状に形成されているが、他の形状でも構わない。伸縮式取っ手１３は、一対のテレスコピック型の伸縮ロッドを有しており、その長さを複数段階で調整できる。伸縮ロッドには所定の長さでロックが掛かり、そのロックされた状態はボタン１４を押すことで解除される。本体部１の右側面に設けられた取っ手１７は横向きでの運搬に役立ち、左側面に設けられたスタッド１８は横向きで載置するときに役立つ。
【００１８】
カバー３は、蓋体部２の正面に設けられたファスナー４を介して蓋体部２を部分的に開閉する。図３に示すようにカバー３を開いた状態では、そのカバー３に対応した三角形状の開口が現れ、蓋体部２の内部が部分的に開放される。したがって、本体部１と蓋体部２とを閉じたまま、しかもキャリーバッグを横に寝かせることなく直立させた状態において、カバー３を開けるだけで蓋体部２の収納物を出し入れできる。特に、旅先や出張先で、ラップトップパソコンや、新聞、雑誌、パスポートなどの小物を出し入れするときに便利である。
【００１９】
ファスナー４は一対のスライダー４１を備えており、それぞれに錠前用穴が形成されている。一対のスライダー４１を互いに近接させると、図１，２のように錠前用穴を重ね合わせて１つの穴にすることができ、その穴に錠前を通すことでファスナー４が開かないようにロックすることができる。本実施形態では、ファスナー４のエレメントが樹脂製であり、スライダー４１が金属製である例を示すが、これに限られるものではない。
【００２０】
蓋体部２を正面から見て、カバー３は、図４に示すように、幅方向ＷＤに沿って延びる上辺部３ａと、幅方向ＷＤの一端側（本実施形態では左側）から他端側（本実施形態では右側）に向かって斜め下に延びる下辺部３ｂと、下辺部３ｂの他端側から上方に延びて上辺部３ａに連なる側辺部３ｃとを有する略三角形状をなす。本実施形態では、上辺部３ａが幅方向ＷＤに平行に延びるとともに、側辺部３ｃが高さ方向ＨＤに平行に延び、それらが直角をなす。更に、この三角形状では、幅方向ＷＤの長さに対して高さ方向ＨＤの長さが小さい。
【００２１】
また、カバー３の開閉動作のためのヒンジ部３１が下辺部３ｂに設けられ、ファスナー４のファスナーラインが、下辺部３ｂの一端側から上辺部３ａと側辺部３ｃを経て下辺部３ｂの他端側に至るように設けられている。このファスナーラインはヒンジ部３１の両端から延び、ヒンジ部３１とファスナーラインとで三角形状のループを形成している。ファスナーラインに沿ってスライダー４１を移動させてファスナー４を開けば、ヒンジ部３１を中心としたカバー３の揺動によって蓋体部２の部分的な開閉が行われる。
【００２２】
スライダー４１の移動経路は主として上辺部３ａと側辺部３ｃとで構成されるため、図７のような三方開きのファスナーと比べてファスナー４のファスナーラインが短く、実質的に二辺に沿ってスライダー４１を動かせばカバー３が開くことができる。それ故、片手での開閉が比較的容易であり、カバー３を開閉する際の操作性に優れる。また、下辺部３ｂに沿ってヒンジ部３１を斜めに設けているため、カバー３は図３のような斜め開きとなり、横開きに比べると収納物の不用意な飛び出しが抑制されて都合が良い。
【００２３】
本実施形態では、上辺部３ａと下辺部３ｂの一端側とが円弧Ａ１（第１の円弧）を介して連なり、上辺部３ａと側辺部３ｃとが円弧Ａ２（第２の円弧）を介して連なり、側辺部３ｃと下辺部３ｂの他端側とが円弧Ａ３（第３の円弧）を介して連なり、ファスナー４のファスナーラインが円弧Ａ１〜Ａ３を通る。このように三角形状の角部の各々が丸められていることで、ファスナー４のスライダー４１を円滑に動かすことができ、カバー３の開閉時の操作性が更に良好になる。
【００２４】
本実施形態では、蓋体部２を正面から見て、下辺部３ｂが右下がりに形成されているため、側辺部３ｃが右側に配置され、図３のように左側よりも右側が大きい略三角形状の開口が形成される。このため、右手でスライダー４１を動かしやすくなるとともに、右手で収納物を出し入れするのにも好都合である。但し、これに限られず、例えば図５のように下辺部３ｂが右上がりに形成されていても構わない。この場合の下辺部３ｂは、幅方向ＷＤの一端側（右側）から他端側（左側）に向かって斜め下に延びることになる。
【００２５】
幅方向ＷＤに対する下辺部３ｂの角度θは、特に限られるものではないが、好ましくは１５〜４５度に設定され、より好ましくは２０〜４０度に設定される。側辺部３ｃの長さを確保し、延いてはカバー３の開口面積を確保する観点から、角度θは１５度以上が好ましく、２０度以上がより好ましい。また、側辺部３ｃの長さが大きくなり過ぎないようにして、カバー３の開閉時の操作性を良好に確保する観点から、角度θは４５度以下が好ましく、４０度以下がより好ましい。
【００２６】
カバー３は、図２のように蓋体部２の正面の上半分の領域に設けられていることが好ましい。これにより、キャリーバッグを直立させた状態でもスライダー４１の操作が容易になり、カバー３の開閉時の操作性が良好になる。カバー３の正面は、それ以外の蓋体部２の正面に対して面一に配置され、蓋体部２からカバー３が正面側に突出していないが、かかる形状に限定されるものではない。カバー３の周縁は蓋体部２の正面よりも背面側（本体部１側）に凹んでいて、その凹みにヒンジ部３１やファスナー４が配置されている。
【００２７】
図３に示すように、カバー３の開きを制限するマチ状のストッパー３２が側辺部３ｃにのみ設けられている。これにより、カバー３を開いたときの姿勢を適切に保持して、収納物が不用意に飛び出る事態を防止できる。ストッパー３２は、側方から見て逆三角形状に形成されるとともに、面ファスナーで接合された一対の分離片により構成されている。カバー３の背面には、ファスナー３３で開閉されるポケット３４が設けられており、手帳などの小物を収納できるようになっている。
【００２８】
蓋体部２は、本体部１に対してファスナー５で接合されるとともに、左側面に設けられたヒンジ部によって図６の如く横開き可能に構成されている。ファスナー５は、一対のスライダー５１を備える。本体部１の右側面にはロック機構１５が設けられ、そのロック機構１５にスライダー５１を取り付けることでロック状態となる。ロック機構１５には、ロック状態を解除するためのボタンや、ボタン操作によりロック状態を解除できないように施錠するための鍵穴が設けられている。
【００２９】
図６に示すように、蓋体部２の内部には、内部空間を厚み方向に仕切るシート状の仕切部６が設けられている。仕切部６はファスナー６１を介して縦開きされるように形成され、そのファスナー６１のファスナーラインは蓋体部２の内面に沿って逆Ｕ字状に延びている。仕切部６は蓋体部２の背面の近くに配置され、仕切部６を開くことにより蓋体部２の内部空間が背面側に開放される。仕切部６を閉じておけば、蓋体部２の収納物が本体部１側に移動することはない。
【００３０】
仕切部６の正面に形成されたポケット６２には、ラップトップパソコンやタブレットコンピュータなどを収納できる。その収納物の不用意な飛び出しは、仕切部６の上端部から垂れ下がった吊り下げベルト６３により抑えられる。吊り下げベルト６３の先端には、ポケット６２の表面に接合される面ファスナー６４が設けられている。また、仕切部６（ポケット６２を含む）は薄板状のクッション材を内蔵しており、ラップトップパソコンなどの収納物を衝撃から良好に保護することができる。
【００３１】
ポケット６２の収納物は、仕切部６を開いて蓋体部２の背面側から出し入れできるが、カバー３を開くことにより蓋体部２の正面側から出し入れすることもできる。更に、蓋体部２の内部では、仕切部６の背面側に、その仕切部６の略全体を覆う長方形状のフラップ７が設けられている。フラップ７の幅方向の一端は蓋体部２の内面に固着され、その他端は一対の留め具７１により蓋体部２の内面に着脱自在に構成されている。図示しないフラップ７の背面には、ファスナーで開閉されるポケットが設けられている。
【００３２】
本体部１の内部には、収納物の散乱を防止するためのベルト１６が設けられ、その背面側に長方形状のフラップ８が設けられている。フラップ８の幅方向の一端は本体部１の内面に固着され、その他端は一対の留め具８１により本体部１の内面に着脱自在に構成されている。フラップ８の正面には、ファスナー８２で開閉されるポケットが設けられている。
【００３３】
本考案は上述した実施形態に何ら限定されるものではなく、本考案の趣旨を逸脱しない範囲内で種々の改良変更が可能である。したがって、例えば、本体部１の上面に設けられる取っ手が、固定式取っ手１２と伸縮式取っ手１３の何れか一方のみでもよく、蓋体部２の底面にキャスター２１が設けられていない構造でも構わない。
【符号の説明】
【００３４】
１      本体部
２      蓋体部
３      カバー
３ａ    上辺部
３ｂ    下辺部
３ｃ    側辺部
４      ファスナー
１１    キャスター
１２    固定式取っ手
１３    伸縮式取っ手
３１    ヒンジ部
３２    ストッパー
Ａ１    第１の円弧
Ａ２    第２の円弧
Ａ３    第３の円弧
【図１】
0003192537.tif 000003
【図２】
0003192537.tif 000004
【図３】
0003192537.tif 000005
【図４】
0003192537.tif 000006
【図５】
0003192537.tif 000007
【図６】
0003192537.tif 000008
【図７】
0003192537.tif 000009